(57)【特許請求の範囲】
【請求項１】
板状の基部と、前記基部の一部を覆うように設けられ該基部と共に足を挿入可能な開口を形成する被覆部とを備えた履物における前記基部の前記被覆部により覆われた側の面と前記被覆部の内面との少なくとも一方に接触する足に装着するための装着部材であって、
履物と接触する側である外表面には、履物に足を挿入する方向の反対方向に傾斜する繊維状部材が設けられたことを特徴とする装着部材。
【請求項２】
請求項１に記載の装着部材において、
足の爪先側を帯状に覆うようにして装着可能とされ、前記繊維状部材が帯状の長手方向に複数設けられるとともにそれらの間が弾性を有する弾性部材とされたことを特徴とする装着部材。
【請求項３】
請求項１又は２に記載の装着部材において、
足と接触する側である内表面には、足の爪先方向に傾斜する装着維持用繊維状部材が設けられたことを特徴とする装着部材。
【発明の詳細な説明】
【技術分野】
【０００１】
本発明は、例えば足に装着するための装着部材に関するものである。
【背景技術】
【０００２】
従来、スリッパは、足の裏を乗せるための板状の基部と、その基部の一部を覆うように設けられ、該基部と共に足を挿入可能な開口を形成する被覆部とを備え、開口が足の爪先側よりも一般的に大きく設定されることで、簡単に足の爪先を挿入して履くことができるようになっている。
【０００３】
そして、このようなスリッパとしては、被覆部における足の甲との接触面である内面にゴムベルトを設けたものがある（例えば、特許文献１参照）。このスリッパでは、ゴムベルトが大きな摺動抵抗を生じさせることで、スリッパが簡単に脱げてしまうといったことが低減される。
【先行技術文献】
【特許文献】
【０００４】
【特許文献１】特開平１０−１７９２０１号公報
【発明の概要】
【発明が解決しようとする課題】
【０００５】
しかしながら、上記のようなゴムベルトを設けたスリッパでは、足を挿入する際にも足の甲がゴムベルトと接触してしまうことがあり、足を挿入する際にもゴムベルトが大きな摺動抵抗となってしまい、履き難いという問題がある。特に、足が義足である場合等は、爪先の微妙な感覚がないことや、意志によって爪先を微妙に変形させることができないことなどから、履き易く且つ脱げ難いスリッパ等の履物が求められている。
【０００６】
本発明は、こうした実情に鑑みてなされたものであり、その目的は、履物を履き易く且つ脱げ難くすべく足に装着するための装着部材を提供することにある。
【課題を解決するための手段】
【００１５】
請求項１に記載の発明では、板状の基部と、前記基部の一部を覆うように設けられ該基部と共に足を挿入可能な開口を形成する被覆部とを備えた履物における前記基部の前記被覆部により覆われた側の面と前記被覆部の内面との少なくとも一方に接触する足に装着するための装着部材であって、履物と接触する側である外表面には、履物に足を挿入する方向の反対方向に傾斜する繊維状部材が設けられたことを要旨とする。
【００１６】
同構成によれば、履物と接触する側である外表面には、履物に足を挿入する方向の反対方向に傾斜する繊維状部材が設けられるため、装着部材を足に装着することで、請求項１に記載の発明の効果と同様の効果を得ることができる。
【００１７】
請求項２に記載の発明では、請求項１に記載の装着部材において、足の爪先側を帯状に覆うようにして装着可能とされ、前記繊維状部材が帯状の長手方向に複数設けられるとともにそれらの間が弾性を有する弾性部材とされたことを要旨とする。
【００１８】
同構成によれば、装着部材は足の爪先側を帯状に覆うようにして装着可能とされる。そして、繊維状部材が帯状の長手方向に複数設けられるとともにそれらの間が弾性を有する弾性部材とされるため、繊維状部材を履物とバランス良く広範囲に接触させることができるとともに、装着性を向上させることができる。例えば、繊維状部材がシート状でありながらも弾性を有していない場合では、帯状の長手方向に沿って長く繊維状部材を設けるとその部分では長手方向に沿って長い範囲で弾性変形しないため、足にフィットせずに装着性が低くなる（抜け易くなる）虞があるが、これに比べて足にフィットし易くなり装着性を向上させることができる。
【００１９】
請求項３に記載の発明では、請求項１又は２に記載の装着部材において、足と接触する側である内表面には、足の爪先方向に傾斜する装着維持用繊維状部材が設けられたことを要旨とする。
【００２０】
同構成によれば、足と接触する側である内表面には、足の爪先方向に傾斜する装着維持用繊維状部材が設けられるため、装着部材が足（靴下を履いた足）から抜け落ちようとする場合には、装着維持用繊維状部材が、いわゆる逆毛となるため、大きな抵抗力が生じる。よって、装着部材が脱げ難くなる。
【発明の効果】
【００２１】
本発明によれば、履物を履き易く且つ脱げ難くすべく足に装着するための装着部材を提供することができる。
【図面の簡単な説明】
【００２２】
【図１】（ａ）第１の実施の形態におけるスリッパの模式断面図。（ｂ）同じくスリッパの要部拡大模式端面図。（ｃ）同じく繊維状部材の模式平面図。
【図２】（ａ）第２の実施の形態におけるスリッパの模式断面図。（ｂ）同じくスリッパの要部拡大模式端面図。（ｃ）同じく繊維状部材の模式平面図。
【図３】（ａ）第３の実施の形態における装着部材とスリッパの関係を説明するための模式断面図。（ｂ）同じく装着部材の足への装着状態を説明するための斜視図。
【図４】第３の実施の形態における装着部材の模式平面図。
【図５】別例における装着部材とスリッパの関係を説明するための模式断面図。
【発明を実施するための形態】
【００２３】
（第１の実施の形態）
以下、本発明をスリッパ及び繊維状部材に具体化した第１の実施の形態を図１に従って説明する。
【００２４】
図１（ａ）に示すように、履物としてのスリッパ１は、足２（詳しくは靴下３を履いた足２）の裏を乗せるための板状の基部４と、その基部４の上部先端側（図中、左側であって、爪先と対応する側）に設けられ、基部４と共に足２を挿入可能な開口を形成する被覆部５とを備えている。
【００２５】
そして、スリッパ１の足２との接触面であって、基部４の被覆部５により覆われた側の面と被覆部５の内面との少なくとも一方には、開口に足２が挿入される方向に傾斜した繊維状部材６が設けられている。
【００２６】
詳述すると、繊維状部材６は、接触する部材（靴下３等）に対して一方向（いわゆる順毛となる方向）の摺動には小さな抵抗力しか生じさせず、他方向（いわゆる逆毛となる方向）の摺動には大きな抵抗力を生じさせるように傾斜した繊維状の部材であって、本実施の形態ではエチケットブラシ（登録商標）に用いられるものと同様のものを用いている。
【００２７】
又、本実施の形態の繊維状部材６は、図１（ｃ）に示すように、帯状（シート状）に形成され、図１（ａ），（ｂ）に示すように、被覆部５の内面における開口５ａの近傍に固着されている。より詳しくは、繊維状部材６は、被覆部５の内面における略開口５ａ端の位置であって、開口５ａのアーチに沿った略全範囲に固着されている。又、本実施の形態の繊維状部材６は、その裏面に予め粘着剤が設けられ、その粘着剤にて固着されている。
【００２８】
次に、上記第１の実施の形態の特徴的な効果を以下に記載する。
（１）スリッパ１の足２（靴下３を履いた足２）との接触面であって、被覆部５の内面には、足２が挿入される方向に傾斜した繊維状部材６が設けられている。よって、スリッパ１を履く場合、詳しくは基部４と被覆部５との間に足２（靴下３を履いた足２）を挿入する場合には、繊維状部材６が、いわゆる順毛となるため、その挿入に際して生じる抵抗力は小さい。一方、歩行中等、スリッパ１が足２（靴下３を履いた足２）から抜け落ちようとする場合には、繊維状部材６が、いわゆる逆毛となるため、大きな抵抗力が生じる。よって、履き易く且つ脱げ難くなる。その結果、特に、足２が義足である場合等は、爪先の微妙な感覚がないことや、意志によって爪先を微妙に変形させることができないが、履き易く且つ脱げ難いため、義足の使用者が快適にスリッパ１を利用することが可能となる。
【００２９】
尚、繊維状部材６が直接接触するのは、勿論足２に履かれた靴下３であり、足２が義足である場合等は繊維状部材６が直接接触するのは義足を覆う靴下や布等となることを想定している。
【００３０】
（２）繊維状部材６は被覆部５の内面に設けられるため、より効果的に脱げ難くすることができる。詳しくは、スリッパ１が抜け落ちようとするときは歩行中等、足２（スリッパ１）を床から上げたときであり、そのとき、足２はスリッパ１の被覆部５と確実に接触する一方で基部４とは非接触となる場合がある。このことから、繊維状部材６を例えば基部４に設けた場合では、歩行中等、足２を床から上げたときに逆毛による抵抗力が生じなかったり、小さくなり脱げ難くなる効果が小さくなる虞がある。これに対して、本構成のように繊維状部材６を被覆部５に設けた場合では、歩行中等、足２を床から上げたときに足２が被覆部５の繊維状部材６と確実に接触して、逆毛による大きな抵抗力が生じるため、より効果的に脱げ難くすることができる。
【００３１】
（３）繊維状部材６は、被覆部５の内面における開口５ａの近傍に設けられるため、より効果的に脱げ難くすることができる。詳しくは、被覆部５の開口５ａの近傍は、スリッパ１が脱げていく過程において、最後まで接触している可能性が高い部位である。このことから、例えば、繊維状部材６を被覆部５の奥側（爪先と対応した先端側）のみに設けた場合に比べて、より効果的に脱げ難くすることができる。又、本実施の形態のように、繊維状部材６を被覆部５の開口５ａの近傍のみに設けた構成とすると、被覆部５の奥側（先端側）及び開口５ａの近傍に設けた場合に比べて、繊維状部材６の面積を小さくしながら、効果的に脱げ難くすることができる。よって、本実施の形態では、繊維状部材６を被覆部５の奥側（先端側）及び開口５ａの近傍に設けた場合に比べて、使用する繊維状部材６の量を少なくして、安価なものとすることができる。
【００３２】
（４）本実施の形態では、繊維状部材６をスリッパ１における足２との接触面に固着する構成としている。このようにすると、繊維状部材６を、例えば所有している（従来の）スリッパ等に固着することで、例えば安価に上記効果を得ることができる。即ち、シート状の繊維状部材６自体がスリッパの外形を形成するものも考えられるが、このような場合に比べて、本実施の形態の構成では、繊維状部材６自体を製品とすることもできるので、例えば所有している（従来の）スリッパに固着したり、好みのデザインの（従来の）スリッパに固着することで、より使用者の需要に応えることができる。又、繊維状部材６は、その裏面に予め粘着剤が設けられ、その粘着剤にて固着されるものであるため、例えば、使用者（購入者）が、上記のように（従来の）スリッパ等に容易に固着させることができる。尚、繊維状部材６自体を製品とする場合、その傾斜する方向は、スリッパ１に固着した状態で（固着した際に）足が挿入される方向に傾斜すると決まるものではあるが、繊維状部材６は、そのように固着して使う専用のものとする。
【００３３】
（第２の実施の形態）
以下、本発明を具体化した第２の実施の形態を図２に従って説明する。
尚、本実施の形態では、第１の実施の形態と同様の部分については同様の符号を付すなどして、同様の部分については一部その詳細な説明を省略する。
【００３４】
本実施の形態における繊維状部材１１は、図２（ａ），（ｃ）に示すように、足２が挿入される方向に対応した方向を視覚的に認識可能とする挿入方向側認識可能部１１ａを有している。本実施の形態の挿入方向側認識可能部１１ａは、図２（ｃ）に示すように、足２が挿入される方向に対応した方向側（図２（ｃ）中、左側）が先細形状とされることで、その方向が視覚的に認識可能とされている。そして、繊維状部材１１は、図２（ａ），（ｂ）に示すように、被覆部５の内面における開口５ａの近傍であって、スリッパ１の幅方向の略中央位置に固着されている。
【００３５】
このようにしても、上記第１の実施の形態の効果と同様の効果を得ることができる。
また次に、上記第２の実施の形態の特徴的な効果を以下に記載する。
（１）繊維状部材１１は、足２が挿入される方向に対応した方向を視覚的に認識可能とする挿入方向側認識可能部１１ａを有するため、繊維状部材１１をスリッパに固着させる際に、（傾斜の）方向を誤って固着してしまうことを低減することができる。
【００３６】
（第３の実施の形態）
以下、本発明を装着部材に具体化した第３の実施の形態を図３及び図４に従って説明する。
【００３７】
図３（ａ），（ｂ）に示すように、装着部材２１は、スリッパ２２の接触面に接触する足２（例えば靴下３を履いた足２）に装着するためのものである。尚、図３（ａ）に示すスリッパ２２は、繊維状部材が設けられていない一般的な（従来の）ものであって、例えば、底面を除く表面（足２との接触面を含む）が布に覆われたもの等である。
【００３８】
装着部材２１には、足２に装着した状態で、スリッパ２２と接触する側である外表面に、スリッパ２２に足を挿入する方向の反対方向に傾斜する繊維状部材２３が設けられている。
【００３９】
詳述すると、本実施の形態の装着部材２１は、図３（ａ），（ｂ）に示すように、足２の爪先側を帯状に覆うようにして装着可能とされている。具体的には、本実施の形態の装着部材２１は、図４に示すように、長手方向の一端側（図４中、左側）にマジックテープ（登録商標）等の面ファスナー２４が設けられ、図３（ｂ）に示すように、足２の爪先側に巻き付けつつ面ファスナー２４を装着部材２１の長手方向の他端側の裏面（内表面）に圧接することで装着可能とされている。又、装着部材２１の面ファスナー２４を除く部分（図４中、面ファスナー２４より右側）には、前記長手方向に弾性を有する弾性部材２５であるゴムと布の複合製品等がベースとして設けられている。そして、弾性部材２５の表面には、シート状の繊維状部材２３が長手方向に複数設けられている。尚、本実施の形態の各繊維状部材２３は、上記した実施の形態と同様にエチケットブラシ（登録商標）に用いられるものと同様のものであって、シート状でありながらも弾性（伸縮性）を有していないものを用いている。
【００４０】
そして、この装着部材２１は、図３（ａ），（ｂ）に示すように、スリッパ２２に足を挿入する方向の反対方向に傾斜する繊維状部材２３が設けられるように、且つ繊維状部材２３が足２の甲側（スリッパ２２の被覆部２２ａと対向する側）に配置されるように、足２に装着して使用する。
【００４１】
次に、上記第３の実施の形態の特徴的な効果を以下に記載する。
（１）スリッパ２２と接触する側である外表面には、スリッパ２２に足２を挿入する方向の反対方向に傾斜する繊維状部材２３が設けられるため、装着部材２１を足２に装着することで、スリッパ２２を履く場合には、繊維状部材２３が、いわゆる順毛となるため、その挿入に際して生じる抵抗力は小さい。一方、歩行中等、スリッパ２２が足２から抜け落ちようとする場合には、繊維状部材２３が、いわゆる逆毛となるため、大きな抵抗力が生じる。よって、履き易く且つ脱げ難くなる。その結果、特に、足２が義足である場合等は、爪先の微妙な感覚がないことや、意志によって爪先を微妙に変形させることができないが、履き易く且つ脱げ難いため、義足の使用者が快適にスリッパ２２を利用することが可能となる。又、この装着部材２１を装着すると、例えば、出先などで一般的な（従来の）スリッパ２２を利用することになっても、上記効果を得ることができる。
【００４２】
尚、装着部材２１においては、繊維状部材２３の傾斜する方向は、足２に装着した状態で（装着した際に）、スリッパ２２に足２を挿入する方向の反対方向に傾斜すると決まるものではあるが、装着部材２１は、そのようにして使う専用のものとする。
【００４３】
（２）装着部材２１は足２の爪先側を帯状に覆うようにして装着可能とされる。そして、シート状の繊維状部材２３が帯状の長手方向に複数設けられるとともにそれらの間が弾性を有する弾性部材２５とされるため、繊維状部材２３をスリッパ２２とバランス良く広範囲に接触させることができるとともに、装着性を向上させることができる。即ち本実施の形態のように繊維状部材２３がシート状でありながらも弾性を有していない場合、帯状の長手方向に沿って長く繊維状部材を設けるとその部分では長手方向に沿って長い範囲で弾性変形しないため足２にフィットせずに装着性が低くなる（抜け易くなる）虞があるが、これに比べて足２にフィットし易くなり装着性を向上させることができる。
【００４４】
（３）装着部材２１は、面ファスナー２４を有し、足２に装着した状態での環状の長さが調節可能とされているため、個人差のある足２のサイズ（爪先の周囲のサイズ）に良好に対応させることができる。即ち、装着部材を予め一定の長さの環状のものとした場合では、例え上記のように弾性部材２５を用いても、締め付けがきつくなったり抜け易くなったり個人差のある足２のサイズ（爪先の周囲のサイズ）に良好に対応できない虞があるが、これに対して良好に対応させることができる。
【００４５】
上記実施の形態は、以下のように変更してもよい。
・上記各実施の形態では、傾斜した繊維状部材６，１１，２３は、エチケットブラシ（登録商標）に用いられるものと同様のものであるとしたが、同様の機能を有すれば、他の傾斜した繊維状部材に変更してもよい。即ち、接触する部材（靴下３等）に対して一方向（いわゆる順毛となる方向）の摺動には小さな抵抗力しか生じさせず、他方向（いわゆる逆毛となる方向）の摺動には大きな抵抗力を生じさせるように傾斜した繊維状の部材であれば変更してもよい。
【００４６】
・上記第１及び第２の実施の形態では、スリッパ１に設けられる繊維状部材６，１１は、単一の部材としたが、これに限定されず、複数個設けてもよい。
・上記第１及び第２の実施の形態では、繊維状部材６，１１は被覆部５（のみ）に設けられるとしたが、これに限定されず、基部４にも設けてもよいし、基部４のみに設けてもよい。
【００４７】
・上記第１及び第２の実施の形態では、繊維状部材６，１１は、被覆部５の内面における開口５ａの近傍（のみ）に設けられるとしたが、被覆部５の奥側にも設けてもよいし、奥側のみに設けてもよい。尚、被覆部５の内面における開口５ａの近傍とは、挿入方向に沿った被覆部５の長さの範囲の中心よりも開口５ａ側のことを言い、奥側とは、前記中心よりも奥側を言う。
【００４８】
・上記第１及び第２の実施の形態では、繊維状部材６，１１をその裏面に予め設けた粘着剤にてスリッパ１に固着するようにしたが、これに限定されず、例えば、面ファスナー等、粘着剤以外の部材にて固着するようにしてもよいし、スリッパ１に縫いつけて固着するようにしてもよい。尚、繊維状部材自体を製品とする場合、縫いつけて固着するものは面倒であるため、粘着剤や面ファスナー等、簡単に固着できるものが好ましい。又、繊維状部材をスリッパに固着する構成としなくてもよく、例えば繊維状部材自体がスリッパの外形を形成するものとして設けてもよい。
【００４９】
・上記第２の実施の形態では、繊維状部材１１の挿入方向側認識可能部１１ａは、足２を挿入する方向に対応した方向側が先細形状とされることで、その方向が視覚的に認識可能とされているとしたが、これに限定されず、例えば、文字や図形等を挿入方向側認識可能部として設けて視覚的に認識可能としてもよい。又、例えば、繊維状部材全体の形状を矢印のような形状とし全体を挿入方向側認識可能部としてもよい。又、例えば、繊維状部材全体の形状を一般的な被覆部５の内面と略同形状（内面より若干小さい形状）とする等、全体を挿入方向側認識可能部として、例えば、その方向以外では繊維状部材が開口５ａからはみ出てしまうといった形状としてもよい。
【００５０】
・上記第３の実施の形態の装着部材２１の裏面（繊維状部材２３が設けられる側と反対側であって足２（靴下３を履いた足２）と対向して接触する側の内表面）に、図５に示すように、足２の爪先方向に傾斜する装着維持用繊維状部材３１を追加して設けてもよい。このようにすると、装着部材２１が足２（靴下３を履いた足２）から抜け落ちようとする場合には、装着維持用繊維状部材３１が、いわゆる逆毛となるため、大きな抵抗力が生じる。よって、装着部材２１が脱げ難くなる。又、勿論、この装着維持用繊維状部材３１は、繊維状部材２３と同様に、帯状の長手方向に複数設けてもよい。
【００５１】
・上記第３の実施の形態では、装着部材２１は足２の爪先側を帯状に覆うようにして装着可能とされるものとしたが、装着できれば他の構成に変更してもよく、例えば、足２の甲（詳しくは靴下３のその部分）に粘着剤にて固着するものとしてもよい。
【００５２】
・上記第３の実施の形態では、繊維状部材２３が帯状の長手方向に複数設けられるとともにそれらの間が弾性を有する弾性部材２５とされるとしたが、これに限定されず、例えば、繊維状部材を１つ（単一のシート状のもの）のみ設けたものとしてもよいし、弾性部材２５を用いていない構成としてもよい。又、上記第３の実施の形態では、弾性部材２５の表面にシート状の繊維状部材２３を複数設けたが、弾性部材とシート状の繊維状部材２３を交互に連結した構成（繊維状部材２３が弾性部材２５の表面に乗っていない構成）としてもよい。このようにすると、例えば、繊維状部材２３が弾性部材２５の表面に対して大きく突出してしまうことを抑制することが可能となる。
【００５３】
・上記各実施の形態のスリッパ１，２２は、他のかかとのない靴やサンダル等、他の履物に変更して発明を具体化してもよい。
【符号の説明】
【００５４】
２…足、４…基部、５…被覆部、５ａ…被覆部の開口、６，１１，２３…繊維状部材、１１ａ…挿入方向側認識可能部、２１…装着部材、２５…弾性部材、３１…装着維持用繊維状部材。
【図１】
0005795169.tif 000002
【図２】
0005795169.tif 000003
【図３】
0005795169.tif 000004
【図４】
0005795169.tif 000005
【図５】
0005795169.tif 000006